(57)【要約】      （修正有）【課題】ＡＶ端末と複数ユーザの接続を可能とする。【解決手段】遠隔リアルタイムにオーディオおよび／またはビデオ（ＡＶ）信号を提供する方法は、複数のＡＶ端末（１３１、１３２、１４１、１５１、１５２）を記録するＡＶ端末リストを表示し、ＡＶ端末リストのＡＶ端末のうちの１つを選択することをユーザー端末（１１１、１１２、１１３、１２１、１２２）に要求するステップと、選択されたＡＶ端末との接続が確立されているかどうかを判定するステップと、接続が確立されていないと判定された場合に、選択されたＡＶ端末との接続を確立し、選択されたＡＶ端末のＡＶ信号をユーザー端末に転送するステップと、接続が確立されていると判定された場合に、選択されたＡＶ端末のＡＶ信号の複製を作成し、複製のＡＶ信号をユーザー端末に転送するステップを含む。また、その方法を実行する通信フレームワークも、開示される。【選択図】図１
2010109654.tif 000002
【特許請求の範囲】
【請求項１】
遠隔リアルタイムにオーディオおよび／またはビデオ（ＡＶ）信号を提供する方法であって、
（Ａ）ユーザー端末からログイン要求が受信されたとき、周囲環境のＡＶ信号を提供する複数のＡＶ端末が記録されるＡＶ端末リストを表示し、ＡＶ端末リストのなかから１つのＡＶ端末を選択することをユーザー端末に要求するステップ、
（Ｂ）選択されたＡＶ端末との接続が確立されているかどうかを判定するステップ、
（Ｃ）選択されたＡＶ端末との接続が確立されていないと判定された場合に、選択されたＡＶ端末との接続を確立し、選択されたＡＶ端末のＡＶ信号を受信し、ＡＶ信号をユーザー端末に転送するステップ、
（Ｄ）選択されたＡＶ端末との接続が確立されていると判定された場合に、選択されたＡＶ端末のＡＶ信号の複製を生成し、複製のＡＶ信号をユーザー端末に転送するステップ、
を備える方法。
【請求項２】
前記ステップ（Ａ）において、ユーザー端末からログイン要求が受信されたとき、ユーザー端末のアイデンティティが照合されるものであって、ＡＶ端末リストはユーザーのアイデンティティに基づいている、請求項１に記載の方法。
【請求項３】
前記ＡＶ端末のＡＶ信号は、ビデオ信号、オーディオ信号および制御信号を含み、前記ステップ（Ｃ）および（Ｄ）において、最初にＡＶ信号はオーディオ信号、ビデオ信号および制御信号に分離され、オーディオ信号、ビデオ信号および制御信号は同一のフォーマットに変換される、請求項１に記載の方法。
【請求項４】
前記ステップ（Ｃ）および（Ｄ）において、ＡＶ信号をユーザー端末に転送する前に、選択されたＡＶ端末がプリセットされたボイスオーバーを有するかどうかが判定され、
選択されたＡＶ端末がプリセットされたボイスオーバーを有すると判定された場合に、プリセットされたボイスオーバーとＡＶ信号は合成されてユーザー端末に転送され、
選択されたＡＶ端末がプリセットされたボイスオーバーを有しないと判定された場合に、ＡＶ信号がユーザー端末に転送される、
請求項３に記載の方法。
【請求項５】
（Ｅ）ボイス信号がユーザー端末から受信されたときであって、選択されたＡＶ端末のＡＶ信号が別のユーザー端末に転送されているとき、ボイス信号とＡＶ信号を合成し、合成されたボイス信号とＡＶ信号を前記別のユーザー端末に転送するステップ、
を更に備える、請求項３に記載の方法。
【請求項６】
前記ステップ（Ｅ）において、前記ボイス信号が、更に選択されたＡＶ端末に転送される、請求項５に記載の方法。
【請求項７】
（Ｆ）ユーザー端末から制御信号が受信されたとき、ユーザー端末に権限が与えられているかどうかを判定し、ユーザー端末に権限が与えられていると判定された場合に、制御信号に対応する制御を実行するステップ、
を更に備える、請求項１に記載の方法。
【請求項８】
前記ステップ（Ｆ）において、制御信号が複製信号であって、ユーザー端末に権限が与えられているとき、ＡＶ信号をユーザー端末に転送しながら、ＡＶ信号が格納される、請求項７に記載の方法。
【請求項９】
前記ステップ（Ｆ）において、制御信号が選択されたＡＶ端末の機能を制御するものであって、ユーザー端末に権限が与えられているとき、制御信号は選択されたＡＶ端末に転送される、請求項７に記載の方法。
【請求項１０】
（Ｇ）ユーザー端末からＡＶ端末リストのなかの別のＡＶ端末の選択が受信されたとき、ユーザー端末がネットワークユーザーであるかどうかを判定し、ユーザー端末がネットワークユーザーであると判定された場合に、ステップ（Ｂ）を実行し、ユーザー端末がネットワークユーザーでないと判定された場合に、前記別のＡＶ端末の選択を無視するステップ、
を更に備える、請求項３に記載の方法。
【請求項１１】
（Ｈ）ユーザー端末から視聴終了要求が受信されたとき、ＡＶ信号のユーザー端末への転送を停止し、選択されたＡＶ端末のＡＶ信号が別のユーザー端末に転送される必要があるかどうかを判定し、選択されたＡＶ端末のＡＶ信号が別のユーザー端末に転送される必要があると判定された場合に、選択されたＡＶ端末との接続を維持し、選択されたＡＶ端末のＡＶ信号が別のユーザー端末に転送される必要がないと判定された場合に、選択されたＡＶ端末との接続を切断するステップ、
を更に備える、請求項１に記載の方法。
【請求項１２】
（Ｉ）ＡＶ端末リストのなかの１つのＡＶ端末から異常フィードバック報告要求が受信されたとき、対応するプリセットされたユーザー端末の情報を取得し、前記１つのＡＶ端末のＡＶ信号をプリセットされたユーザー端末に転送するステップ、
を更に備える、請求項１に記載の方法。
【請求項１３】
それぞれがＡＶ信号を生成する複数のＡＶ端末と、
電気通信網を介して前記ＡＶ端末に接続され、前記ＡＶ端末のうちの少なくとも一部を記録するＡＶ端末リストを提供するＡＶプラットフォームと、
電気通信網を介して前記ＡＶプラットフォームに接続され、前記ＡＶ端末リストを受信し、前記ＡＶ端末リストのなかの選択された１つのＡＶ端末を含むＡＶ端末選択信号を生成し、ＡＶ端末選択信号を前記ＡＶプラットフォームに送信するための動作が可能であるユーザー端末を備え、
前記選択されたＡＶ端末によって生成された信号が、ＡＶ端末選択信号に基づいて、前記ＡＶプラットフォームを介して前記ユーザー端末に転送される、通信フレームワーク。
【請求項１４】
前記ＡＶプラットフォームは、前記ユーザー端末に結合される電気通信網ＡＶ処理モジュールと、前記電気通信網ＡＶ処理モジュールに結合され、前記電気通信網ＡＶ処理モジュールによって提供された信号を受信して処理するコントロールユニットを含む、請求項１３に記載の通信フレームワーク。
【請求項１５】
前記ＡＶ端末の各々によって生成される信号は、オーディオ信号およびビデオ信号の少なくともいずれかを含み、前記ユーザー端末に転送される信号は、ＡＶ信号および制御信号の少なくともいずれかである、請求項１３に記載の通信フレームワーク。
【請求項１６】
前記ＡＶプラットフォームは、前記コントロールユニットに結合されるインターネットＡＶ処理モジュールおよびインターネットユーザーインターフェイス処理モジュールを含む、請求項１４に記載の通信フレームワーク。
【請求項１７】
インターネットに結合され、インターネットを介して前記インターネットＡＶ処理モジュールが結合されている、複数のＡＶ端末と、
インターネットを介して前記ＡＶプラットフォームの前記インターネットユーザーインターフェイス処理モジュールと結合されるユーザー端末と、
を更に備える、請求項１６に記載の通信フレームワーク。
【請求項１８】
前記ＡＶプラットフォームは、前記コントロールユニットに結合されるＡＶデータベースとユーザーデータベースの少なくともいずれかを含む、請求項１４に記載の通信フレームワーク。
【請求項１９】
前記ＡＶ端末の各々は、画像キャプチャーユニット、音声キャプチャーユニットおよび音声ブロードキャストユニットの少なくともいずれかを含む、請求項１３に記載の通信フレームワーク。
【請求項２０】
前記ＡＶプラットフォームのＡＶ端末リストは、前記ＡＶプラットフォームとの接続を確立するものである、および／または、ユーザー端末がその信号を受信することを許容するものである、前記ＡＶ端末のうちの少なくとも１つを記録する、請求項１３に記載の通信フレームワーク。
【請求項２１】
少なくとも１つのユーザー端末に対して遠隔リアルタイムにオーディオおよび／またはビデオ（ＡＶ）信号を提供するシステムであって、
それぞれが周囲環境のＡＶ信号を提供する複数のＡＶ端末と
前記ＡＶ端末に結合され、ユーザー端末に結合されるのに適しており、前記ＡＶ端末とユーザー端末に関連する情報を格納するＡＶプラットフォームとを備え、
前記ＡＶプラットフォームは、ユーザー端末からログイン要求を受信したとき、ユーザー端末に対応するＡＶ端末に対応するものを記録するＡＶ端末リストを提示し、前記ＡＶ端末リストのなかの前記ＡＶ端末のうちの１つを選択することをユーザー端末に要求し、前記選択されたＡＶ端末との接続が確立されているかどうかを判定し、
前記選択されたＡＶ端末との接続が確立されていないと判定された場合に、前記ＡＶプラットフォームは、前記選択されたＡＶ端末との接続を確立し、前記選択されたＡＶ端末のＡＶ信号を受信し、前記選択されたＡＶ端末のＡＶ信号をユーザー端末に転送し、
前記選択されたＡＶ端末との接続が確立されていると判定された場合に、前記ＡＶプラットフォームは、前記選択されたＡＶ端末のＡＶ信号の複製を生成し、複製のＡＶ信号をユーザー端末に転送する、
システム。
【請求項２２】
前記ＡＶ端末の少なくともいずれかは、第三世代（３Ｇ）カメラおよび３Ｇ携帯電話のいずれかであって、
前記ＡＶプラットフォームは、
前記ＡＶプラットフォームの動作を制御するコントロールユニットと、
電気通信網に結合され、前記３Ｇカメラおよび前記３Ｇ携帯電話のうちの１つからのＡＶ信号を受信し、ＡＶ信号をオーディオ信号およびビデオ信号に分離し、オーディオ信号およびビデオ信号を前記コントロールユニットに転送する、電気通信網ＡＶ処理モジュールと、
を更に含む、請求項２１に記載のシステム。
【請求項２３】
前記ＡＶ端末の少なくともいずれかは、パケット・カメラであり、
前記ＡＶプラットフォームは、インターネットに結合され、前記パケット・カメラからＡＶ信号を受信し、ＡＶ信号をオーディオ信号およびビデオ信号に分離し、オーディオ信号およびビデオ信号を前記コントロールユニットに転送する、インターネットＡＶ処理モジュールを更に含む、請求項２２に記載のシステム。
【請求項２４】
前記ＡＶプラットフォームは、ＡＶデータベースを含み、ＡＶ信号を受信するユーザー端末は、前記ＡＶプラットフォームに対して複製信号を発行するための動作が可能であり、前記コントロールユニットは、前記ＡＶプラットフォームの前記コントロールユニットが複製信号を受信するとき、ユーザー端末に転送されたＡＶ信号の複製を作成し、複製のＡＶ信号を格納する、請求項２２に記載のシステム。
【請求項２５】
前記ＡＶプラットフォームは、前記ＡＶ端末のそれぞれについてのプリセットされたユーザー端末を格納するユーザーデータベースを含み、前記ＡＶ端末の各々は、作動信号に対応し、前記ＡＶプラットフォームに転送される異常フィードバック報告要求を生成するための動作が可能であり、前記ＡＶプラットフォームは、異常フィードバック報告を発行した前記ＡＶ端末のＡＶ信号を、プリセットされたユーザー端末に転送する、請求項２１に記載のシステム。
【発明の詳細な説明】
【技術分野】
【０００１】
本発明は、遠隔リアルタイムにオーディオおよび／またはビデオ信号を提供する方法と、その方法を用いて遠隔リアルタイムにオーディオおよび／またはビデオ信号を提供する通信フレームワークに関する。
【背景技術】
【０００２】
遠隔リアルタイムにオーディオおよび／またはビデオ（ＡＶ）信号を提供する従来の通信フレームワークは、複数のユーザー端末と１つのＡＶ端末を含む。ユーザー端末、例えばパケットまたは第三世代（３Ｇ）に対応するユーザー端末の各々は、アクセス、すなわち、例えばインターネットまたは３Ｇ電気通信網等のネットワークを介して、例えばＩＰカメラまたは３Ｇ対応カメラのようなＡＶ端末との接続を確立し、ＡＶ信号を受信する動作が可能である。
【発明の開示】
【発明が解決しようとする課題】
【０００３】
上述した従来の通信フレームワークは、単にユーザー端末とＡＶ端末との間で１対１の接続のみを許容するものであるという欠点がある。このように、従来の通信フレームワークは、一度にユーザー端末のうちの１台しかＡＶ端末にアクセスすることができない。
【０００４】
それ故に、本発明の目的は、多数のユーザー端末が同時にＡＶ端末にアクセスすることを許容する、遠隔リアルタイムにオーディオおよび／またはビデオ（ＡＶ）信号を提供する通信フレームワーク、方法およびシステムを提供することである。
【課題を解決するための手段】
【０００５】
本発明の一態様によれば、遠隔リアルタイムにオーディオおよび／またはビデオ（ＡＶ）信号を提供する方法は、以下のステップを備える。
（Ａ）ユーザー端末からログイン要求が受信されたとき、周囲環境のＡＶ信号を提供する複数のＡＶ端末を記録するＡＶ端末リストを表示し、ＡＶ端末リストのＡＶ端末のうちの1台を選択することをユーザー端末に要求するステップ
（Ｂ）選択されたＡＶ端末について接続が確立されているかどうかを判定するステップ
（Ｃ）選択されたＡＶ端末について接続が確立されていないと判定された場合に、選択されたＡＶ端末との接続を確立し、選択されたＡＶ端末のＡＶ信号を受信し、ＡＶ信号をユーザー端末に転送するステップ
（Ｄ）選択されたＡＶ端末について接続が確立されていると判定された場合は、選択されたＡＶ端末のＡＶ信号の複製を生成し、複製のＡＶ信号をユーザー端末に転送するステップ
【０００６】
本発明の別の態様によれば、通信フレームワークは、複数のＡＶ端末、ＡＶプラットフォームおよびユーザー端末を備える。各ＡＶ端末は信号を生成する。ＡＶプラットフォームは、電気通信網を介してＡＶ端末に接続され、ＡＶ端末のうちの少なくとも一部を記録するＡＶ端末リストを提供する。ユーザー端末は、電気通信網を介してＡＶプラットフォームに接続され、ＡＶ端末リストを受信し、前記ＡＶ端末リストのなかの選択された１つのＡＶ端末を含むＡＶ端末選択信号を生成し、ＡＶ端末選択信号をＡＶプラットフォームに送信するための動作が可能である。選択されたＡＶ端末によって生成された信号は、ＡＶ端末選択信号に基づいて、ＡＶプラットフォームを介してユーザー端末に転送される。
【０００７】
本発明の更に別の態様によれば、少なくとも１つのユーザー端末に対して遠隔リアルタイムにＡＶ信号を提供するシステムは、複数のＡＶ端末と１つのＡＶプラットフォームを備える。ＡＶ端末の各々は、周囲環境のＡＶ信号を提供する。ＡＶプラットフォームは、ＡＶ端末に結合され、ユーザー端末に結合するのに適し、ＡＶ端末およびユーザー端末に関連する情報を格納する。ＡＶプラットフォームがユーザー端末からログイン要求を受信するとき、ＡＶプラットフォームは、ユーザー端末に対応するＡＶ端末を記録するＡＶ端末リストをユーザー端末に提示し、ＡＶ端末リストのなかのＡＶ端末のうちの1つを選択することをユーザー端末に要求し、選択されたＡＶ端末との接続が確立されているかどうかを判定する。選択されたＡＶ端末との接続が確立されていないと判定された場合に、ＡＶプラットフォームは、選択されたＡＶ端末との接続を確立し、選択されたＡＶ端末のＡＶ信号を受信し、選択されたＡＶ端末のＡＶ信号をユーザー端末に転送する。選択されたＡＶ端末との接続が確立されていると判定された場合に、ＡＶプラットフォームは、選択されたＡＶ端末のＡＶ信号の複製を作成し、複製のＡＶ信号をユーザー端末に転送する。
【０００８】
本発明のその他の特徴および利点は、添付の図面を参照して行う以下の好ましい実施形態の詳細な説明において明らかになる。
【発明を実施するための最良の形態】
【０００９】
図１を参照すると、本発明によるオーディオおよび／またはビデオ（ＡＶ）信号を提供する通信フレームワークの好ましい実施形態は、システムおよび複数のユーザー端末１１１、１１２、１１３、１２１、１２２を含むことが示されている。
【００１０】
このシステムは、以下に記述する方法によって、電気通信網またはインターネットを介して、ユーザー端末１１１、１１２、１１３、１２１、１２２に対してリアルタイムにＡＶ信号を提供する。
【００１１】
本実施形態において、電気通信網は、第三世代（３Ｇ）電気通信網である。
【００１２】
このシステムは、複数のＡＶ端末１３１、１３２、１４１、１５１、１５２およびＡＶプラットフォーム３を含む。
【００１３】
各ＡＶ端末１３１、１３２は、３Ｇ対応カメラであり、識別コード、すなわち電話番号を有し、電気通信網に接続される。
【００１４】
ＡＶ端末１４１は、３Ｇ対応携帯電話であり、識別コード、すなわち電話番号を有し、電気通信網に接続される。
【００１５】
更に図２を参照すると、ＡＶ端末１３１は、コントローラ１３３、画像キャプチャーユニット１３４、音声キャプチャーユニット１３５、電気通信網伝送インターフェイス１３６および音声ブロードキャストユニット１３７を含む。
【００１６】
画像キャプチャーユニット１３４は、コントローラ１３３に接続され、周囲環境の画像をキャプチャーするための動作が可能である。音声キャプチャーユニット１３５は、コントローラ１３３に接続され、周囲環境の音声を取得するための動作が可能である。コントローラ１３３は、画像キャプチャーユニット１３４によってキャプチャーされた画像、すなわちビデオ信号と、音声キャプチャーユニット１３５により取得された音声、すなわちオーディオ信号と、および／または制御信号とを１つのＡＶ信号に合成する。電気通信網伝送インターフェイス１３６は、電気通信網とコントローラ１３３に接続され、電気通信網を介してＡＶ信号を伝送するための動作が可能である。
【００１７】
ＡＶ端末１３１は、電気通信網を介してＡＶプラットフォーム３に異常フィードバック報告要求を発行するための動作が可能である。特に、ＡＶ端末１３１は、更に、検出ユニット１７、信号変換ユニット１６および通信ポート１３８を含む。検出ユニット１７は、公知技術の方法で、アクティベートされたときに作動信号を生成するための動作が可能である。本実施形態において、検出ユニット１７は、対盗難検出器、煙感知器または動き検出器を含む。信号変換ユニット１６は、検出ユニット１７と接続され、作動信号をアナログ信号からデジタル信号に変換するための動作が可能である。例えば汎用シリアルバス（ＵＳＢ）ポートのような通信ポート１３８は、コントローラ１３３と信号変換ユニット１６に接続され、作動信号を受信するための動作が可能である。コントローラ１３３は、更に、そこにインストールされる異常フィードバック報告プログラム１３９により、通信ポート１３８からの作動信号に応答して異常フィードバック報告要求を生成するための動作が可能である。電気通信網伝送インターフェイス１３６は、更に、電気通信網を介して異常フィードバック報告要求を伝送するための動作が可能である。
【００１８】
なお、ＡＶ端末１３１は、ＡＶ電話呼出またはショートメッセージによって、電気通信網を介してＡＶプラットフォーム３に異常フィードバック報告要求を発行できることに注意されたい。
【００１９】
代替の実施形態では、ＡＶ端末１４１は、プリセットされたファンクションキーまたはそのキーの組み合わせが押されたときに、異常フィードバック報告要求を生成する。
【００２０】
各ＡＶ端末１５１、１５２は、ＩＰカメラであり、例えばインターネットプロトコル（ＩＰ）アドレスのような識別コードを有し、インターネットに接続される。
【００２１】
ＡＶ端末１５１、１５２は、ＡＶ端末１３１、１３２、１４１のように、コントローラ１３３、画像キャプチャーユニット１３４、音声キャプチャーユニット１３５、電気通信網伝送インターフェイス１３６、音声ブロードキャストユニット１３７、検出ユニット１７、信号変換ユニット１６および通信ポート１３８を含む。しかしながら、ＡＶ端末１５１、１５２の電気通信網伝送インターフェイス１３６は、電気通信網の代りにインターネットに接続され、インターネットを介してＡＶ信号および異常フィードバック報告要求を伝送するための動作が可能である。
【００２２】
代替の実施形態では、ＡＶ端末１３１、１３２、１４１、１５１、１５２は、画像キャプチャーユニット１３４および音声キャプチャーユニット１３５のいずれかをなしで済ませることができる。
【００２３】
もう一度図１を参照すると、ＡＶプラットフォーム３は、コンピュータサーバとして実装され、コントロールユニット３１、電気通信網ＡＶ処理モジュール３２、インターネットＡＶ処理モジュール３５、インターネットユーザーインターフェイス処理モジュール３６、ユーザーデータベース３３およびＡＶデータベース３４を含む。
【００２４】
コントロールユニット３１は、ＡＶプラットフォーム３の動作を制御し、電気通信網ＡＶ処理モジュール３２によって、電気通信網を介したユーザー端末１１１、１１２、１１３およびＡＶ端末１３１、１３２、１４１との接続を確立するための動作が可能である。
【００２５】
コントロールユニット３１は、更に、インターネットＡＶ処理モジュール３５によって、インターネットを介したＡＶ端末１５１、１５２との接続を確立するための動作が可能である。
【００２６】
コントロールユニット３１は、更に、インターネットユーザーインターフェイス処理モジュール３６によって、インターネットを介したユーザー端末１２１、１２２との接続を確立するための動作が可能である。
【００２７】
電気通信網ＡＶ処理モジュール３２は、電気通信網およびコントロールユニット３１に接続され、電気通信網を介してＡＶ端末１３１、１３２、１４１のＡＶ信号および異常フィードバック報告要求を受信し、ＡＶ端末１３１、１３２、１４１のＡＶ信号および異常フィードバック報告要求を、電気通信網を介してユーザー端末１１１、１１２、１１３に転送するための動作が可能である。インターネットユーザーインターフェイス処理モジュール３６は、インターネットおよびコントロールユニット３１に接続され、電気通信網ＡＶ処理モジュール３２からのＡＶ信号および異常フィードバック報告要求を、インターネットを介してユーザー端末１２１、１２２に転送するための動作が可能である。本実施形態において、最初にＡＶ信号は、電気通信網ＡＶ処理モジュール３２によってオーディオおよびビデオおよび／または制御信号に分離され、次にオーディオおよびビデオおよび／または制御信号は、適宜処理され、ＡＶ信号をユーザー端末１１１、１１２、１１３、１２１、１２２に転送する前に、コントロールユニット３１によってＡＶ信号に再び合成される。
【００２８】
インターネットＡＶ処理モジュール３５は、インターネットおよびコントロールユニット３１に接続され、インターネットを介してＡＶ端末１５１、１５２のＡＶ信号および異常フィードバック報告要求を受信するための動作が可能である。インターネットユーザーインターフェイス処理モジュール３６は、更に、インターネットＡＶ処理モジュール３５からのＡＶ信号および異常フィードバック報告要求を、インターネットを介してユーザー端末１２１、１２２に伝送するための動作が可能である。電気通信網ＡＶ処理モジュール３２は、更に、インターネットＡＶ処理モジュール３５からのＡＶ信号を、電気通信網を介してユーザー端末１１１、１１２、１１３に伝送するための動作が可能である。本実施形態において、最初にＡＶ信号は、インターネットＡＶ処理モジュール３５によってオーディオおよびビデオおよび／または制御信号に分離され、次にオーディオおよびビデオおよび／または制御信号は、適宜処理され、ＡＶ信号をユーザー端末１１１、１１２、１１３、１２１、１２２に転送する前に、コントロールユニット３１によってＡＶ信号に再び合成される。
【００２９】
本実施形態において、コントロールユニット３１は、更に、ユーザー端末１１１、１１２、１１３、１２１、１２２に転送されているＡＶ端末１３１、１３２、１４１、１５１、１５２のＡＶ信号の複製を作成するための動作が可能である。
【００３０】
ユーザーデータベース３３は、コントロールユニット３１に接続され、ＡＶ端末１３１、１３２、１４１の識別コード、すなわち電話番号と、ＡＶ端末１５１、１５２の識別コード、すなわちインターネットプロトコル（ＩＰ）アドレスを格納する。
【００３１】
本実施形態において、ユーザーデータベース３３は、更に、ＡＶ端末１３１、１３２、１４１、１５１、１５２のうちの少なくとも１つを含む第１のリストと、ＡＶ端末１３１、１３２、１４１、１５１、１５２のうちの少なくとも１つを含む第２のリストと、ユーザー端末１１１、１１２、１１３、１２１、１２２のうちの少なくとも１つを含む第３のリストとを格納する。
【００３２】
本実施形態において、第１のリストは、ＡＶ端末１３１を含み、ユーザー端末１１１に固有である。すなわち、第１のリストのＡＶ端末１３１は、ユーザー端末１１１によってアクセス可能であり、例えばユーザー端末１１１によるＡＶ端末１３１のＡＶ信号のダウンロードが許容されている。また、第２のリストは、ＡＶ端末１３２を含み、ユーザー端末１１２に固有である。すなわち、第２のリストのＡＶ端末１３２は、ユーザー端末１１２によってアクセス可能である。更に、第３のリストは、ユーザー端末１１１、１１２を含み、ＡＶ端末１３１に固有である。すなわち、第３のリストのユーザー端末１１１、１１２だけは、ＡＶ端末１３１が異常フィードバック報告要求を発行したときに、ＡＶ端末１３１にアクセスすることが可能である。
【００３３】
加えて、ユーザーデータベース３３は、更に、ユーザー端末１１１、１１２、１１３、１２１、１２２によってアクセス可能であるＡＶ端末１５１を含む第４のリストを格納する。
【００３４】
ＡＶデータベース３４は、コントロールユニット３１に接続され、ＡＶ端末１３１、１３２、１４１、１５１、１５２に固有であって、ユーザー端末１１１、１１２、１１３、１２１、１２２に転送されているＡＶ端末１３１、１３２、１４１、１５１、１５２のＡＶ信号に付加される、プリセットされたボイスオーバー、例えばナレーションを格納する。本実施形態において、ＡＶデータベース３４は、ユーザー端末１１１、１１２、１１３、１２１、１２２に転送されているＡＶ端末１３１、１３２、１４１、１５１、１５２のＡＶ信号のバックアップを格納するための動作が可能である。
【００３５】
ユーザー端末１１１、１１２、１１３は、３Ｇ携帯電話であり、識別コード、すなわち電話番号を有し、電気通信網に接続され、ＡＶ端末１３１、１３２、１４１、１５１、１５２の識別コードを格納し、電気通信網を介してＡＶプラットフォーム３の電気通信網ＡＶ処理モジュール３２からのＡＶ信号を受信し、電気通信網を介してオーディオおよびビデオおよび／または制御信号を含むＡＶ信号を伝送するための動作が可能である。
【００３６】
ユーザー端末１２１、１２２は、例えばパーソナルコンピュータのようなパケット電子デバイスであり、識別コード、すなわちＩＰアドレスを有し、インターネットに接続され、ＡＶ端末１３１、１３２、１４１、１５１、１５２の識別コードを格納し、インターネットを介してＡＶプラットフォーム３のインターネットユーザーインターフェイス処理モジュール３６からＡＶ信号を受信し、インターネットを介してオーディオおよびビデオおよび／または制御信号を含むＡＶ信号を伝送するための動作が可能である。
【００３７】
ＡＶプラットフォーム３の電気通信網ＡＶ処理モジュール３２は、更に、電気通信網を介してユーザー端末１１１、１１２、１１３のＡＶ信号を受信し、それによって受信されたＡＶ信号を、電気通信網を介してＡＶ端末１３１、１３２、１４１のうちの選択された１つに転送するための動作が可能である。本実施形態において、最初にＡＶ信号は、電気通信網ＡＶ処理モジュール３２によってオーディオおよびビデオおよび／または制御信号に分離され、次にオーディオおよびビデオおよび／または制御信号は、ユーザー端末１１１、１１２、１１３の識別コードとＡＶ信号の制御信号に基づいて処理され、ＡＶ信号をＡＶ端末１３１、１３２、１４１のうちの選択された１つに転送する前に、コントロールユニット３１によってＡＶ信号に再び合成される。
【００３８】
インターネットユーザーインターフェイス処理モジュール３６は、更に、インターネットを介してユーザー端末１２１、１２２のＡＶ信号を受信するための動作が可能である。インターネットＡＶ処理モジュール３５は、更に、インターネットユーザーインターフェイス処理モジュール３６からのＡＶ信号を、インターネットを介してＡＶ端末１５１、１５２のうちの選択された１つに転送するための動作が可能である。本実施形態において、最初にＡＶ信号は、インターネットユーザーインターフェイス処理モジュール３６によってオーディオおよびビデオおよび／または制御信号に分離され、次にオーディオおよびビデオおよび／または制御信号は、ユーザー端末１２１、１２２の識別コードおよびＡＶ信号の制御信号に基づいて処理され、ＡＶ信号をＡＶ端末１５１、１５２のうちの選択された１つに転送する前に、コントロールユニット３１によってＡＶ信号に再び合成ざれる。
【００３９】
ＡＶ端末１３１、１３２、１４１の電気通信網伝送インターフェイス１３６（図２を参照）は、更に、電気通信網を介して電気通信網ＡＶ処理モジュール３２からのＡＶ信号を受信するための動作が可能である。ＡＶ端末１３１、１３２、１４１の音声ブロードキャストユニット１３７は、電気通信網伝送インターフェイス１３６からのＡＶ信号のオーディオ信号に対応する音声を生成するための動作が可能である。
【００４０】
ＡＶ端末１５１、１５２の電気通信網伝送インターフェイス１３６（図２を参照）は、更に、インターネットを介してインターネットＡＶ処理モジュール３５からのＡＶ信号を受信するための動作が可能である。ＡＶ端末１５１、１５２の音声ブロードキャストユニット１３７は、電気通信網伝送インターフェイス１３６からのＡＶ信号のオーディオ信号に対応する音声を生成するための動作が可能である。
【００４１】
なお、ユーザー端末１１１、１１２、１１３、１２１、１２２の識別コードは、アカウント名およびパスワードを更に含めることができることに注意されたい。
【００４２】
ユーザーデータベース３３は、更に、ユーザー端末１１１、１１２、１１３、１２１、１２２の識別コードを格納する。
【００４３】
ＡＶプラットフォーム３は、複数の識別コード、すなわち電話番号およびＩＰアドレス）を有する。
【００４４】
ユーザー端末１１１、１１２、１１３およびＡＶ端末１３１、１３２、１４１は、更に、ＡＶプラットフォーム３の電話番号のうちの１つを格納する。
【００４５】
ユーザー端末１２１、１２２およびＡＶ端末１５１、１５２は、更に、ＡＶプラットフォーム３のＩＰアドレスのうちの１つを格納する。
【００４６】
本実施形態において、ＡＶ端末１３１、１３２、１４１およびユーザー端末１１１、１１２、１１３の各々は、電気通信網上で、３Ｇ．３２４Ｍプロトコルまたはワイヤレス・アプリケーション・プロトコル／リアルタイム・ストリーミング・プロトコル（ＷＡＰ／ＲＴＳＰ）を介して、ＡＶプラットフォーム３の電気通信網ＡＶ処理モジュール３２と通信する。また、ＡＶ端末１５１、１５２およびユーザー端末１２１、１２２の各々は、インターネット上で、セッション・イニシエーション・プロトコル／リアルタイム・トランスポート・プロトコル（ＳＩＰ／ＲＴＰ）またはＲＴＳＰを介して、ＡＶプラットフォーム３のインターネットＡＶ処理モジュール３５と通信する。更に、電気通信網ＡＶ処理モジュール３２、インターネットＡＶ処理モジュール３５およびインターネットユーザーインターフェイス処理モジュール３６の各々は、セッション・イニシエーション・プロトコル／インターネット・プロトコル（ＳＩＰ／ＩＰ）を介して、コントロールユニット３１と通信する。
【００４７】
本実施形態において、ユーザーデータベース３３は、更に、複数の電話番号を格納し、ＡＶ端末１５１、１５２の各々のＩＰアドレスを、電話番号のそれぞれの１つにマップする。このように、ユーザー端末１１１、１１２、１１３、１２１、１２２は、ＩＰアドレスの代りに、単純にＡＶ端末１５１、１５２の電話番号を格納することができる。
【００４８】
本発明による上述した通信フレームワークを使用して実現される、遠隔リアルタイムにＡＶ信号を提供する方法の好ましい実施形態は、更に図３−６を参照して記載される。
【００４９】
ＡＶ端末１３１が作動信号を受信するとき、ステップ１８１において、プリセットされた異常フィードバック報告モード、すなわちＡＶ電話モードまたはショートメッセージモードが判定される。
【００５０】
ステップ１８２において、異常フィードバック報告モードがＡＶ電話モードであると判定された場合に、フローはステップ１８３に進む。さもなければ、フローはステップ１８４に進む。
【００５１】
ステップ１８３において、コントローラ１３３は、ＡＶ端末１３１を介してＡＶプラットフォーム３にＡＶ電話呼出を行い、画像キャプチャーユニット１３４によってキャプチャーされたビデオ信号および音声キャプチャーユニット１３５によってキャプチャーされたオーディオ信号をＡＶ信号に処理し、電気通信網を介してＡＶ信号をＡＶプラットフォーム３に転送し、それによりＡＶプラットフォーム３がＡＶ信号をプリセットされたユーザー端末に（以下に記載する方法で）転送することを許容する。
【００５２】
ステップ１８４において、コントローラ１３３は、ショートメッセージを生成し、ＡＶプラットフォーム３に送信し、それによりＡＶプラットフォーム３がその後の処理を（以下に記載する方法で）実行することを許容する。それ故、ＡＶ端末１３１は、異常状態が発生した場合に、その後の処理を実行するために、ＡＶ電話呼出またはショートメッセージを介してＡＶプラットフォーム３に通知することができる。
【００５３】
なお、上述した異常フィードバック報告機能は、ＡＶ端末１４１と同様に、ＡＶ端末１３１、１３２に組み込むことができることに注意されたい。また、作動信号は、検出ユニット１７の他に、ＡＶ端末１４１のファンクションキーを押すことによって、または、ＡＶプラットフォーム３に一組のコードを入力することによって、生成されるようにすることもできる。更に、作動信号に応答して、ＡＶ端末１４１は、ＡＶ電話呼出またはショートメッセージを介してＡＶプラットフォーム３に異常フィードバック報告要求を発行する。
【００５４】
ステップ４１１において、ＡＶプラットフォーム３は、ログイン要求が受信されたどうかを判定する。ログイン要求が受信されたと判定された場合に、フローはステップ４１２に進む。さもなければ、フローはステップ４２１に進む。
【００５５】
このステップにおいて、ユーザー端末１１１、１１２、１１３によってログイン要求が発行されたとき、ＡＶプラットフォーム３の電気通信網ＡＶ処理モジュール３２は、ログイン要求を受信し、ログイン要求をコントロールユニット３１によって必要とされるストリームパケット信号に変換し、ストリームパケット信号をコントロールユニット３１に送信する。一方、ユーザー端末１２１、１２２によってログイン要求が発行されたとき、ＡＶプラットフォーム３のインターネットユーザーインターフェイス処理モジュール３６はログイン要求を受信し、ログイン要求をコントロールユニット３１によって必要とされるストリームパケット信号に変換して、ストリームパケット信号をコントロールユニット３１に送信する。
【００５６】
ステップ４１２において、コントロールユニット３１は、ログイン要求を発行したユーザー端末、例えばユーザー端末１１１のアイデンティティを照合するために、ログイン要求をユーザーデータベース３３のユーザー情報と比較する。
【００５７】
ステップ４１３において、コントロールユニット３１は、ユーザー端末にＡＶ端末リストを提供し、ユーザー端末はＡＶ端末リストを表示し、ユーザーに選択することを許容する。
【００５８】
ＡＶ端末リストは、ユーザーデータベース３３に記録され、ユーザー端末によってアクセス可能である複数のＡＶ端末を含む。例えば、ユーザー端末１１１がＡＶ端末１３１の管理者であってユーザー端末１１２、１２１がユーザー端末１１１のグループメンバであるとき、ユーザー端末１１２がＡＶ端末１３２の管理者であってユーザー端末１１１，１２１がユーザー端末１１２の個人情報においてグループメンバとして設定されているとき、ＡＶ端末１５１がパブリックなＡＶ端末であるとき、ユーザー端末１１１がＡＶ端末１４１、１５２の管理者でないとき、そしてユーザー端末１１１がＡＶ端末１４１、１５２の管理者によってグループメンバとして設定されているとき、ＡＶ端末リストは、ＡＶ端末１３１、１３２、１５１を含む。ユーザー端末１１１がＡＶ端末１３１、１３２、１５１のうちの１つを選択するとき、ユーザー端末１１１は、選択されたＡＶ端末を収容するＡＶ端末選択信号を生成し、ＡＶ端末選択信号をＡＶプラットフォーム３のコントロールユニット３１に転送する。
【００５９】
ＡＶ端末リストが、ＡＶプラットフォーム３が接続を確立したＡＶ端末を含むことができることは、当業者にとって明らかなはずである。
【００６０】
ユーザー端末１１１がＡＶ端末１３１を選択するとき、ステップ４１４において、コントロールユニット３１は、ＡＶプラットフォーム３がＡＶ端末１３１との接続を確立しているかどうかを判定する。ＡＶプラットフォーム３がＡＶ端末１３１との接続を確立していなかったと判定された場合に、フローはステップ４１５に進む。さもなければ、すなわちＡＶプラットフォーム３がＡＶ端末１３１との接続を確立している場合に、フローはステップ４１６に進む。
【００６１】
ステップ４１５において、コントロールユニット３１は、電気通信網ＡＶ処理モジュール３２を介してＡＶ端末１３１との接続を確立し、ＡＶ端末１３１にそのＡＶ信号をＡＶプラットフォーム３に転送するよう命令する。
【００６２】
ステップ４１６において、コントロールユニット３１は、ユーザー端末、例えばユーザー端末１１２、に転送されているＡＶ端末１３１のＡＶ信号の複製を作成する。
【００６３】
ステップ４１７において、ＡＶ端末１３１がプリセットされたボイスオーバーを有するかどうかが判定される。ＡＶ端末１３１がプリセットボイスオーバーを有すると判定された場合に、フローはステップ４１８に進む。さもなければ、フローはステップ４１９に進む。
【００６４】
ステップ４１８において、コントロールユニット３１は、ＡＶデータベース３４のなかのプリセットボイスオーバーおよび複製のＡＶ信号のビデオ信号を取得し、プリセットボイスオーバーとビデオ信号を合成し、合成ざれたプリセットボイスオーバーとビデオ信号のフォーマットを変換した後に、電気通信網ＡＶ処理モジュール３２を介して合成されたプリセットボイスオーバーとビデオ信号をユーザー端末１１１に転送する。その後、フローは、ステップ４２０に進む。
【００６５】
ステップ４１９において、コントロールユニット３１は、電気通信網ＡＶ処理モジュール３２を介して複製のＡＶ信号をユーザー端末１１１に転送する。
【００６６】
このステップにおいて、ユーザー端末、例えばユーザー端末１１１、１１２、１２１は、ＡＶ端末１３１にアクセスしながら、会談することができる。すなわち、ユーザー端末１１１、１１２、１２１の各々は、例えば、オーディオ信号またはユーザー端末のユーザーの声のようなボイス信号を送信することができる。また、ユーザー端末のユーザーは、ユーザー情報の設定情報から、ＡＶ端末をミュートし、ボイス信号がＡＶ端末に転送されるかどうかを設定することができる。
【００６７】
ステップ４２０において、コントロールユニット３１は、プリセットボイスオーバーが終了したかどうかを判定する。プリセットボイスオーバーが終了したと判定された場合に、フローはステップ４１９に戻る。さもなければ、フローはステップ４１８に戻る。
【００６８】
コントロールユニット３１は、ユーザー端末１１１、１１２、１１３、１２１、１２２の各々に基づき、例えば、ＡＶ信号をボイスオーバーと合成することによって、または、ＡＶ信号のフォーマットを変換することによって、ＡＶ信号を処理する。このように、ＡＶ端末のＡＶ信号は、異なるユーザー端末１１１、１１２、１１３、１２１、１２２に転送できる。
【００６９】
ＡＶプラットフォーム３は、ＡＶ端末１３１、１３２、１４１、１５１、１５２およびユーザー端末１１１、１１２、１１３、１２１、１２２との間の媒体として働き、ＡＶ端末１３１、１３２、１４１、１５１、１５２の各々のＡＶ信号またはユーザー端末１１１、１１２、１１３、１２１、１２２の各々の信号を、ビデオ、オーディオおよび制御信号に分離する。ビデオ、オーディオおよび制御信号の各々は、ストリームパケット信号に変換され、例えば、アイデンティティ照合、ＡＶ信号の複製、画像キャプチャー、ＡＶ混合、そして信号フォーマット変換などのその後の処理のために、コントロールユニット３１に転送される。このように、ＡＶ端末１３１は、ユーザー端末１１１、１１２によってアクセス可能であるばかりでなく、ＡＶ端末１３１は、電気通信網およびインターネットを介してユーザー端末１２１によってもアクセス可能である。例えば、コントロールユニット３１は、ＡＶ端末１３１のＡＶ信号のフォーマットがインターネットユーザーインターフェイス処理モジュール３６によって変換された後、ＡＶ端末のＡＶ信号をユーザー端末に転送する。このことは、ＡＶプラットフォーム３を介して、異なるユーザー端末にＡＶ端末のＡＶ信号の異なるフォーマットにアクセスすることを許容する。更に、コントロールユニット３１は、ＡＶ信号のビデオ信号およびボイスオーバーが新しいＡＶ信号に合成されるように、ＡＶ端末のＡＶ信号を編集することができる。ボイスオーバーは、例えばバックグラウンドまたはロケーションのようなＡＶ端末１３１の相対情報を記述することができる。
【００７０】
ステップ４２１において、コントロールユニット３１は、異常フィードバック報告要求が受信されたかどうかを判定する。異常フィードバック報告要求が受信されたと判定された場合に、フローはステップ４３４に進む。さもなければ、フローはステップ４１１に戻る。
【００７１】
ステップ４２２において、コントロールユニット３１は、ボイス信号がユーザー端末１１１、１１２、１２１から受信されたかどうかを判定する。ボイス信号が受信されたと判定された場合に、フローはステップ４２３に進む。さもなければ、フローはステップ４２４に進む。
【００７２】
ステップ４２３において、コントロールユニット３１は、ユーザーの設定情報に基づいて、ボイス信号とＡＶ端末１３１のＡＶ信号を合成し、合成されたボイス信号とＡＶ信号をＡＶ端末１３１にアクセスする別のユーザー端末に転送する。コントロールユニット３１は、設定情報に基づいて、ブロードキャストのためにボイス信号をＡＶ端末に転送するかどうかを判定する。特に、ユーザー端末１１１によってオーディオ信号が生成されたとき、コントロールユニット３１は、ユーザーデータベース３３のなかのユーザー端末１１１のユーザー情報から、ＡＶ端末１３１をミュートするように設定されているか否か、そして会話をＡＶ端末に転送するか否かの会話モードを判定する。ＡＶ端末１３１が、会話モードにおいて、ミュートするように設定され、会話がＡＶ端末１３１に転送されるように設定されているとき、コントロールユニット３１は、ボイス信号とＡＶ端末１３１のＡＶ信号のビデオ信号を合成し、合成されたボイス信号とビデオ信号をＡＶ端末１３１にアクセスするユーザー端末１１２、１２１に転送し、ボイス信号をブロードキャストするためにＡＶ端末１３１に転送する。一方、ＡＶ端末１３１がミュートするように設定されておらず、会話がＡＶ端末１３１に転送されるように設定されていないとき、コントロールユニット３１は、ボイス信号、ＡＶ端末１３１のＡＶ信号のビデオ信号およびオーディオ信号を合成し、合成されたボイス、ビデオおよびオーディオ信号をＡＶ端末１３１にアクセスするユーザー端末１１２、１２１に転送する。このように、ボイス信号の他に、ユーザー端末１１２、２１１は、ＡＶ端末１３１のオーディオ信号をも聞くことができる。従って、ユーザー端末１１１、１１２、１２１の各々は、会談するためにボイス信号を生成することができ、それによりユーザーとＡＶ端末との間の交流を強化する。
【００７３】
ステップ４２４において、コントロールユニット３１は、制御信号がユーザー端末１１１から受信されたかどうかを判定する。制御信号が受信されたと判定された場合に、フローはステップ４２５に進む。さもなければ、フローはステップ４２７に進む。
【００７４】
なお、制御信号は、ユーザー端末１１１、１１２、１１３がＡＶプラットフォーム３を介して選択されたＡＶ端末を制御することを許容することに注意されたい。また、制御信号は、例えばデュアルトーン多重周波数（ＤＴＭＦ）信号のようなデジタル信号である。
【００７５】
ステップ４２５において、コントロールユニット３１は、ユーザー端末１１１に権限が有るかどうかを判定する。これは、許可されていないユーザー端末がＡＶ端末１３１を制御することを防止するためである。ユーザー端末１１１に権限が有ると判定された場合に、フローはステップ４２６に進む。さもなければ、制御信号は無視され、フローはステップ４２７に進む。
【００７６】
本実施形態において、ユーザー端末１１１がＡＶ端末１３１の管理者であるとき、ユーザー端末１１１は、コントロールユニット３１によって権限が与えられているか判定される。
【００７７】
ステップ４２６において、コントロールユニット３１は、制御信号に対応する制御を実行する。
【００７８】
例えば、制御信号が複製信号であるとき、コントロールユニット３１は、ＡＶ端末１３１のＡＶ信号をユーザー端末１１１に転送しながら、ＡＶ信号の複製を作成し、ＡＶデータベース３４に格納する。なお、ＡＶデータベース３４に格納される複製のＡＶ信号は、第三世代パートナーシップ・プロジェクト（３ＧＰＰ）によって定められた３Ｇパートナーシップ・プロジェクト（３ＧＰ）フォーマットであることに注意されたい。一方、制御信号が、ＡＶ端末１３１の機能、例えば、ズームイン、ズームアウト、ミュート、オーディオの受信、そしてレンズの調整、を制御するためのものであるとき、コントロールユニット３１は、電気通信網ＡＶ処理モジュール３２を介して制御信号をＡＶ端末１３１に転送する。次に、ＡＶ端末１３１は、制御信号に対応する制御、例えば、焦点距離の調節、または周囲環境の音声および画像のキャプチャーを停止する、を実行する。このように、ユーザー端末１１１は、ＡＶ端末１３１のＡＶ信号を受信することの他に、ＡＶ信号の複製を作成するなどのＡＶ信号を処理することに、ＡＶプラットフォーム３を使用することができる。
【００７９】
現在では、インターネットに接続できる電気機器は、同時にいくつかのウィンドウを開くことができる。このように、ステップ４２７において、コントロールユニット３１は、別のＡＶ端末、例えばＡＶ端末１３２、の選択が、ＡＶ端末１３１にアクセスするユーザー端末１２１から受信されたかどうかを判定する。これは、ユーザー端末１２１がＡＶ端末１３２にアクセスしたいことを示す。ＡＶ端末１３２の選択が受信されたと判定された場合に、フローはステップ４２８に進む。さもなければ、フローはステップ４２９に進む。
【００８０】
ステップ４２８において、コントロールユニット３１は、ユーザー端末１２１がネットワークユーザーであるかどうかを判定する。ネットワークユーザーは、インターネットに接続されているユーザーである。ユーザー端末がネットワークユーザーであると判定された場合に、フローはＡＶ端末１３２のＡＶ信号をユーザー端末１２１に提供するためにステップ４１３に戻る。さもなければ、ＡＶ端末１３２の選択は無視され、フローはステップ４２９に進む。
【００８１】
ステップ４２９において、コントロールユニット３１は、視聴終了要求が受信されたかどうかを判定する。例えば、ＡＶ端末１３１にアクセスするユーザー端末１１１は、視聴終了要求を発行する。視聴終了要求が受信されたと判定された場合に、フローはステップ４３０に進む。さもなければ、フローは別の制御信号または要求を待つためにステップ４２２に戻る。
【００８２】
ステップ４３０において、コントロールユニット３１は、ＡＶ端末、例えばＡＶ端末１３１のＡＶ信号の、ユーザー端末、例えばユーザー端末１１１への転送を停止する。
【００８３】
ステップ４３１において、コントロールユニット３１は、ＡＶ端末、例えばＡＶ端末１３１が、別のユーザー端末によってアクセスされているかどうかを判定する。ＡＶ端末がアクセスされていると判定された場合に、フローはステップ４３２に進む。さもなければ、フローはステップ４３３に進む。
【００８４】
ステップ４３２において、ＡＶプラットフォーム３は、ＡＶ端末１３１との接続を維持し、そのＡＶ信号を受信して別のユーザー端末に転送することを継続する。
【００８５】
ステップ４３３において、コントロールユニット３１は、ＡＶ端末１３１から切断する。
【００８６】
ステップ４３２および４３３の後、フローは、ステップ４２９において視聴終了要求を発行したユーザー端末１１１にＡＶ端末リストを提供するために、ステップ４１３に戻り、それにより、ユーザー端末１１１に別のＡＶ端末を選択してアクセスすることを許容する。
【００８７】
ステップ４３３は、ユーザー端末１１１がＡＶプラットフォーム３にログアウト要求を発行することを許容するサブステップを含み、それにより、その間の接続を切断する。
【００８８】
ステップ４３４において、コントロールユニット３１は、ＡＶ端末のユーザーを識別するために、ＡＶ端末のアイデンティティを照合する。
【００８９】
ステップ４３５において、コントロールユニット３１は、ユーザーデータベース３３のユーザー情報に基づいて、プリセットされたユーザー端末を取得する。
プリセットユーザー端末は、ＡＶ端末の管理者によって設定され、ユーザーデータベース３３に格納され、１つ以上のユーザー端末を含むことができる。
【００９０】
ステップ４３６において、異常フィードバック報告要求がＡＶ電話呼出であるかどうかが判定される。異常フィードバック報告要求がＡＶ電話呼出であると判定された場合に、フローはステップ４３７に進む。さもなければ、すなわち、異常フィードバック報告要求がショートメッセージである場合に、フローはステップ４３８に進む。
【００９１】
ステップ４３７において、ＡＶ端末のＡＶ信号および異常フィードバック報告要求は、ＡＶ端末とＡＶプラットフォーム３の確立された接続を介してＡＶプラットフォーム３に転送される。次に、コントロールユニット３１は、プリセットユーザー端末との接続を確立し、ＡＶ信号をプリセットユーザー端末に転送する。このように、プリセットユーザー端末は、即座に通知され、ＡＶ端末のＡＶ信号のビデオ信号を介してＡＶ端末の現在の状態を認知することができる。その後、フローはステップ４２２に戻る。
【００９２】
ステップ４３８において、コントロールユニット３１は、プリセットユーザー端末と、電気通信網ＡＶ処理モジュール３２を介して異常フィードバック報告要求を発行したＡＶ端末との接続を確立し、ＡＶ端末のＡＶ信号のビデオ信号をプリセットユーザー端末に転送する。その後、フローはステップ４２２に戻る。
【００９３】
ステップ４３７および４３８において、２台以上のプリセットユーザー端末があるとき、プリセットユーザー端末は、ステップ４２２および４２３を実行して会談することができ、違反者に警告するブロードキャストのために、ボイス信号をＡＶ端末に転送することができる。
【００９４】
なお、上述したステップ４１１、４２１、４２２、４２４、４２７および４２９のシーケンスは、必要に応じて変更できることに注意されたい。
【００９５】
本発明の上述の説明から、ＡＶプラットフォーム３は、セキュリティ対策のため、ユーザー端末にＡＶ端末へのアクセスを認める前に、ユーザー端末のアイデンティティを照合する。また、ＡＶプラットフォーム３は、ＡＶ信号の処理の前に、ＡＶ信号をビデオ、オーディオおよび制御信号に分離する。このように、ＡＶ端末のＡＶ信号は、異なるユーザー端末に提供することができる。更に、ＡＶプラットフォーム３は、ユーザー端末に会談することを許容する。加えて、ＡＶプラットフォーム３は、ＡＶ信号の複製を作成するか、またはユーザー端末によって発行された制御信号の受領をもってＡＶ端末を制御し、ネットワークユーザーに多重のＡＶ端末に同時にアクセスすることを許容し、ＡＶ端末によって発行された異常フィードバック報告信号の受領をもってＡＶ端末のＡＶ信号をプリセットユーザー端末に自動的に転送する。
【００９６】
本発明は最も実際的で好ましい実施形態と関連して記載されているが、本発明は、開示された実施形態に限定されるものではなく、すべてのこの種の変形および等価な配置を包含する最も広い記述の精神と範囲に含まれる種々な変形に及ぶことを意味するものと理解される。
【図面の簡単な説明】
【００９７】
【図１】本発明による遠隔リアルタイムにオーディオおよび／またはビデオ（ＡＶ）信号を提供する通信フレームワークの好ましい実施形態の概略ブロック図である。
【図２】ＡＶ端末の好ましい実施形態の概略ブロック図である。
【図３】本発明による通信フレームワークを使用して遠隔リアルタイムにＡＶ信号を提供する方法の好ましい実施形態を例示するフローチャート（その１）である。
【図４】本発明による通信フレームワークを使用して遠隔リアルタイムにＡＶ信号を提供する方法の好ましい実施形態を例示するフローチャート（その２）である。
【図５】本発明による通信フレームワークを使用して遠隔リアルタイムにＡＶ信号を提供する方法の好ましい実施形態を例示するフローチャート（その３）である。
【図６】本発明による通信フレームワークを使用して遠隔リアルタイムにＡＶ信号を提供する方法の好ましい実施形態を例示するフローチャート（その４）である。
【符号の説明】
【００９８】
１１１、１１２、１１３、１２１、１２２  ユーザー端末
１３１、１３２、１４１、１５１、１５２  ＡＶ端末
３                                      ＡＶプラットフォーム
【図１】
2010109654.tif 000003
【図２】
2010109654.tif 000004
【図３】
2010109654.tif 000005
【図４】
2010109654.tif 000006
【図５】
2010109654.tif 000007
【図６】
2010109654.tif 000008